(57)【要約】      （修正有）【課題】高解像度の映像信号がコピーされるのを抑制しながらユーザが高解像度のデジタル映像を視聴することが可能な映像信号処理装置を提供する。【解決手段】映像信号処理装置（ＳＴＢ１）は、映像信号に変換可能なＨＤスケーラ１３と、アナログ映像信号を外部に出力可能なコンポーネント端子１６と、デジタル映像信号を外部に出力可能なＨＤＭＩ（登録商標）端子１７と、ＣＰＵ１４とを備えている。ＣＰＵ１４は、高解像度の映像信号が出力されるのを制限するＣＩＴビットを放送信号が含む場合にも、ＨＤＭＩ（登録商標）端子１７がテレビジョン装置２との接続状態がオン状態になっていると認識した場合には、ＨＤスケーラ１３に高解像度（ＨＤ）のデジタル映像信号に変換させるとともに、ＨＤＭＩ（登録商標）端子１７から高解像度（ＨＤ）のデジタル映像信号を出力させることが可能なように構成されている。【選択図】図１
2011009818.tif 000002
【特許請求の範囲】
【請求項１】
放送信号に基づく映像信号の解像度を低解像度および高解像度の両方に変換可能な解像度変換部と、
前記解像度変換部と接続され、前記解像度変換部により解像度が変換されたアナログ映像信号を表示装置に出力可能なアナログ映像出力部と、
前記解像度変換部と接続され、前記解像度変換部により解像度が変換されたデジタル映像信号を前記表示装置に出力可能なデジタル映像出力部と、
前記デジタル映像出力部と前記表示装置との接続状態がオン状態になっているか否かを認識可能な制御部とを備え、
前記制御部は、前記高解像度の映像信号が出力されるのを制限する信号を前記放送信号が含む場合にも、前記デジタル映像出力部と前記表示装置との接続状態がオン状態になっていると認識した場合には、前記解像度変換部により前記高解像度のデジタル映像信号に変換させるとともに、前記デジタル映像出力部から前記高解像度のデジタル映像信号を出力させることが可能なように構成されている、映像信号処理装置。
【請求項２】
前記制御部は、前記解像度変換部により解像度が変換された前記高解像度のデジタル映像信号が不正にコピーされるのを防止する著作権保護機能が有効か否かを判断可能に構成されており、前記著作権保護機能が有効であると判断した場合に、前記高解像度の映像信号が出力されるのを制限する信号を前記放送信号が含む場合にも、前記デジタル映像出力部から前記高解像度のデジタル映像信号を出力させるように構成されている、請求項１に記載の映像信号処理装置。
【請求項３】
前記制御部は、前記解像度変換部により解像度が変換された前記高解像度のデジタル映像信号が不正にコピーされるのを防止する著作権保護機能が有効か否かを判断可能に構成されており、前記著作権保護機能が有効であると判断した場合に、前記アナログ映像出力部からの前記アナログ映像信号の出力を停止させるように構成されている、請求項１または２に記載の映像信号処理装置。
【請求項４】
前記制御部は、前記解像度変換部により解像度が変換された前記高解像度のデジタル映像信号が不正にコピーされるのを防止する著作権保護機能が有効か否かを判断可能に構成されており、前記著作権保護機能が有効ではないと判断した場合に、前記解像度変換部により解像度が変換された前記高解像度の映像信号よりも低い前記低解像度のデジタル映像信号を前記デジタル映像出力部より出力させるように構成されているとともに、前記アナログ映像出力部より前記低解像度のアナログ映像信号を出力可能に構成されている、請求項１〜３のいずれか１項に記載の映像信号処理装置。
【請求項５】
前記アナログ映像出力部から出力されるアナログ映像信号および前記デジタル映像出力部から出力されるデジタル映像信号は、１つの前記解像度変換部により解像度を変換されるように構成されている、請求項１〜５のいずれか１項に記載の映像信号処理装置。
【請求項６】
ケーブルテレビ局から送信された放送信号に基づいて前記放送信号に基づく映像信号の解像度を低解像度および高解像度の両方に変換可能な解像度変換部と、
前記解像度変換部と接続され、前記解像度変換部により解像度が変換されたアナログ映像信号を表示装置に出力可能なアナログ映像出力部と、
前記解像度変換部と接続され、前記解像度変換部により解像度が変換されたデジタル映像信号を前記表示装置に出力可能なデジタル映像出力部と、
前記デジタル映像出力部と前記表示装置との接続状態がオン状態になっているか否かを認識可能な制御部とを備え、
前記制御部は、前記高解像度の映像信号が出力されるのを制限する信号を前記放送信号が含む場合にも、前記デジタル映像出力部と前記表示装置との接続状態がオン状態になっていると認識した場合には、前記解像度変換部により前記高解像度のデジタル映像信号に変換させるとともに、前記デジタル映像出力部から前記高解像度のデジタル映像信号を出力させることが可能なように構成されている、セットトップボックス。
【発明の詳細な説明】
【技術分野】
【０００１】
この発明は、映像信号処理装置およびセットトップボックスに関し、特に、解像度を変換可能な解像度変換部を備えた映像信号処理装置およびセットトップボックスに関する。
【背景技術】
【０００２】
従来、解像度を変換可能な解像度変換部を備えたＳＴＢ（セットトップボックス）およびＤＶＤプレーヤなどの映像信号処理装置が知られている（たとえば、特許文献１参照）。
【０００３】
上記特許文献１には、解像度を変換可能な画枠変換部（解像度変換部）と、変換されたアナログ映像信号をテレビジョン受像機（表示装置）に出力可能なアナログ映像出力端子と、デジタル映像信号をテレビジョン受像機に出力可能なＨＤＭＩ（登録商標）端子（デジタル映像出力部）とを備える記録再生装置（映像信号処理装置）が開示されている。上記特許文献１による記録再生装置は、アナログ映像出力端子およびＨＤＭＩ（登録商標）端子の両方から、画枠変換部により変換された共通の解像度でデジタル映像信号およびアナログ映像信号を出力可能に構成されている。つまり、この記録再生装置は、映像信号のコピー制限の有無にかかわらず、アナログ映像出力端子およびＨＤＭＩ（登録商標）端子の両方から高解像度のデジタル映像信号およびアナログ映像信号を同時に出力可能に構成されている。
【先行技術文献】
【特許文献】
【０００４】
【特許文献１】特開２００６−３１９５０２号公報
【発明の概要】
【発明が解決しようとする課題】
【０００５】
しかしながら、上記特許文献１による記録再生装置（映像信号処理装置）では、アナログ映像出力端子およびＨＤＭＩ（登録商標）端子（デジタル映像出力部）の両方から高解像度のデジタル映像信号およびアナログ映像信号を同時に出力可能に構成されているため、不正コピーの制限がし難いアナログ映像出力端子からも高解像度のアナログ映像信号が出力されるという不都合がある。このため、コピー制限し難いアナログ映像出力端子から出力される高解像度のアナログ映像信号がユーザによりコピーされてしまう場合があるという問題点がある。その一方で、たとえば、高解像度の映像信号の不正コピーを制限するために、低解像度のアナログおよびデジタル映像信号を出力するようにする場合には、低解像度の映像信号がアナログ映像出力端子およびＨＤＭＩ（登録商標）端子（デジタル映像出力部）から出力されるため、ユーザが高解像度の映像を視聴できなくなるという問題点もある。
【０００６】
この発明は、上記のような課題を解決するためになされたものであり、この発明の１つの目的は、高解像度の映像信号がコピーされるのを抑制しながらユーザが高解像度のデジタル映像を視聴することが可能な映像信号処理装置およびセットトップボックスを提供することである。
【課題を解決するための手段および発明の効果】
【０００７】
この発明の第１の局面による映像信号処理装置は、放送信号に基づく映像信号の解像度を低解像度および高解像度の両方に変換可能な解像度変換部と、解像度変換部と接続され、解像度変換部により解像度が変換されたアナログ映像信号を表示装置に出力可能なアナログ映像出力部と、解像度変換部と接続され、解像度変換部により解像度が変換されたデジタル映像信号を表示装置に出力可能なデジタル映像出力部と、デジタル映像出力部と表示装置との接続状態がオン状態になっているか否かを認識可能な制御部とを備え、制御部は、高解像度の映像信号が出力されるのを制限する信号を放送信号が含む場合にも、デジタル映像出力部と表示装置との接続状態がオン状態になっていると認識した場合には、解像度変換部により高解像度のデジタル映像信号に変換させるとともに、デジタル映像出力部から高解像度のデジタル映像信号を出力させることが可能なように構成されている。
【０００８】
この第１の局面による映像信号処理装置では、上記のように、制御部を、高解像度の映像信号が出力されるのを制限する信号を放送信号が含む場合にも、デジタル映像出力部と表示装置との接続状態がオン状態になっていると認識した場合には、解像度変換部により高解像度のデジタル映像信号に変換させるとともに、デジタル映像出力部から高解像度のデジタル映像信号を出力させることが可能なように構成することによって、高解像度の映像信号が出力されるのが制限された場合にも、デジタル映像出力部から高解像度のデジタル映像信号を出力させることができる。これにより、表示装置により高解像度の映像を視聴することができる。また、高解像度のアナログ映像信号がアナログ映像出力部から出力されるのを制限する信号を放送信号が含む場合には、アナログ映像出力部から高解像度のアナログ映像信号が出力されることがないので、アナログ映像出力部を介して高解像度のアナログ映像信号がコピーされるのを抑制することができる。これらより、高解像度の映像信号がコピーされるのを抑制しながらユーザが高解像度のデジタル映像を視聴することができる。
【０００９】
上記第１の局面による映像信号処理装置において、好ましくは、制御部は、解像度変換部により解像度が変換された高解像度のデジタル映像信号が不正にコピーされるのを防止する著作権保護機能が有効か否かを判断可能に構成されており、著作権保護機能が有効であると判断した場合に、高解像度の映像信号が出力されるのを制限する信号を放送信号が含む場合にも、デジタル映像出力部から高解像度のデジタル映像信号を出力させるように構成されている。このように構成すれば、高解像度のデジタル映像信号が不正にコピーされるのを防止する著作権保護機能が有効であると認識した場合のみに、デジタル映像出力部から高解像度のデジタル映像信号を出力することができるので、デジタル映像出力部を介して高解像度のデジタル映像信号が不正にコピーされるのを抑制することができる。
【００１０】
上記第１の局面による映像信号処理装置において、好ましくは、制御部は、解像度変換部により解像度が変換された高解像度のデジタル映像信号が不正にコピーされるのを防止する著作権保護機能が有効か否かを判断可能に構成されており、著作権保護機能が有効であると判断した場合に、アナログ映像出力部からのアナログ映像信号の出力を停止させるように構成されている。このように構成すれば、容易に、高解像度のデジタル映像信号に基づく映像を視聴しながら、アナログ映像出力部を介して高解像度のアナログ映像信号が不正にコピーされるのを抑制することができる。
【００１１】
上記第１の局面による映像信号処理装置において、好ましくは、制御部は、解像度変換部により解像度が変換された高解像度のデジタル映像信号が不正にコピーされるのを防止する著作権保護機能が有効か否かを判断可能に構成されており、著作権保護機能が有効ではないと判断した場合に、解像度変換部により解像度が変換された高解像度の映像信号よりも低い低解像度のデジタル映像信号をデジタル映像出力部より出力させるように構成されているとともに、アナログ映像出力部より低解像度のアナログ映像信号を出力可能に構成されている。このように構成すれば、高解像度の映像信号が出力される信号を放送信号が含み、かつ、デジタル映像信号の著作権保護機能が有効でない場合に、デジタル映像出力部およびアナログ映像出力部の両方から高解像度の映像信号が出力されることがないので、デジタル映像出力部およびアナログ映像出力部を介して高解像度の映像信号が不正にコピーされるのを抑制することができる。
【００１２】
上記第１の局面による映像信号処理装置において、好ましくは、アナログ映像出力部から出力されるアナログ映像信号およびデジタル映像出力部から出力されるデジタル映像信号は、１つの解像度変換部により解像度を変換されるように構成されている。このように構成すれば、アナログ映像出力部およびデジタル映像出力部から出力される映像信号の解像度を２つの解像度変換部により個別に変換する場合と比べて、解像度変換部の数を少なくすることができるので、その分、回路構成を簡略化することができる。
【００１３】
この発明の第２の局面によるセットトップボックスは、ケーブルテレビ局から送信された放送信号に基づいて放送信号に基づく映像信号の解像度を低解像度および高解像度の両方に変換可能な解像度変換部と、解像度変換部と接続され、解像度変換部により解像度が変換されたアナログ映像信号を表示装置に出力可能なアナログ映像出力部と、解像度変換部と接続され、解像度変換部により解像度が変換されたデジタル映像信号を表示装置に出力可能なデジタル映像出力部と、デジタル映像出力部と表示装置との接続状態がオン状態になっているか否かを認識可能な制御部とを備え、制御部は、高解像度の映像信号が出力されるのを制限する信号を放送信号が含む場合にも、デジタル映像出力部と表示装置との接続状態がオン状態になっていると認識した場合には、解像度変換部により高解像度のデジタル映像信号に変換させるとともに、デジタル映像出力部から高解像度のデジタル映像信号を出力させることが可能なように構成されている。
【００１４】
この第２の局面によるセットトップボックスでは、上記のように、制御部を、高解像度の映像信号が出力されるのを制限する信号をケーブルテレビ局から送信される放送信号が含む場合にも、デジタル映像出力部と表示装置との接続状態がオン状態になっていると認識した場合には、解像度変換部により高解像度のデジタル映像信号に変換させるとともに、デジタル映像出力部から高解像度のデジタル映像信号を出力させることが可能なように構成することによって、高解像度の映像信号が出力されるのが制限された場合にも、デジタル映像出力部から高解像度のデジタル映像信号を出力させることができる。これにより、表示装置により高解像度の映像を視聴することができる。また、高解像度のアナログ映像信号がアナログ映像出力部から出力されるのを制限する信号をケーブルテレビ局から送信される放送信号が含む場合には、アナログ映像出力部から高解像度のアナログ映像信号が出力されることがないので、アナログ映像出力部を介して高解像度のアナログ映像信号がコピーされるのを抑制することができる。これらより、高解像度の映像信号がコピーされるのを抑制しながらユーザが高解像度のデジタル映像を視聴することができる。
【図面の簡単な説明】
【００１５】
【図１】本発明の一実施形態によるセットトップボックスなどの構成を説明するためのブロック図である。
【図２】図１に示したセットトップボックスが受信するＣＣＩビットの解釈を示したテーブルである。
【図３】図１に示したセットトップボックスが受信するＣＣＩビットに含まれるＣＩＴビットの解釈を示したテーブルである。
【図４】図１に示したセットトップボックスに設けられた端子の構成を説明するための正面図である。
【図５】本発明の一実施形態によるセットトップボックスのＣＩＴビット有効時におけるＣＰＵの処理フローを説明するためのフローチャートである。
【発明を実施するための形態】
【００１６】
以下、本発明を具体化した実施形態を図面に基づいて説明する。
【００１７】
まず、図１〜図４を参照して、本発明の一実施形態によるＳＴＢ（セットトップボックス）１の構成について説明する。なお、本実施形態では、本発明の「映像信号処理装置」の一例であるＳＴＢ１に本発明を適用した場合について説明する。
【００１８】
図１に示すように、ＳＴＢ１は、ケーブルテレビ局１００からケーブル１０１を介して送信された放送信号を受信するとともに、受信した放送信号に基づいて生成した映像信号をテレビジョン装置２などに出力する装置である。なお、テレビジョン装置２は、本発明の「表示装置」の一例である。また、ＳＴＢ１は、ケーブルテレビ局１００の事業者により割り当てられたケーブルカード５０を挿入可能に構成されている。このケーブルカード５０は、ケーブルテレビ局１００から送信された放送信号のうちＣＣＩビット（図２のテーブル５１参照）という信号に予め含まれている暗号を解除する機能を有している。
【００１９】
また、ケーブルテレビ局１００から送信されるＣＣＩビット（図２のテーブル５１参照）は、高解像度の映像信号と共に高解像度の映像信号が受信者のＳＴＢ（後述するＳＴＢ１）から出力されるのを制限する信号を含んでいる。このＣＣＩビットに含まれる信号は、ＣＩＴ（Ｃｏｎｓｔｒａｉｎｔｅｄ  Ｉｍａｇｅ  Ｔｒｉｇｇｅｒ）ビット（図２のテーブル５１参照）といい、ＣＩＴビットが有効である場合（図３のテーブル５２の１ｂの場合）には、後述するコンポーネント端子１６からの高解像度のアナログ映像信号出力が制限される。つまり、ＣＩＴビットは、高解像度（ＨＤ）の映像信号が不正にコピーされるのを抑制するために設けられている。その一方で、ＣＩＴビットが無効である場合（図３のテーブル５２の０ｂの場合）には、映像の出力制限なく高解像度の映像信号出力が可能である。
【００２０】
ＳＴＢ１は、受信した放送信号を復調する復調器１０と、エンコードされている放送信号をデコード処理して映像信号を生成するデコーダ１１と、デコードされた映像信号を標準解像度（ＳＤ（Ｓｔａｎｄａｒｄ  Ｄｉｆｉｎｉｔｉｏｎ））の映像信号に変換可能なＳＤスケーラ１２と、デコードされた映像信号を標準解像度（ＳＤ）および高解像度（ＨＤ（Ｈｉｇｈ  Ｄｉｆｉｎｉｔｉｏｎ））の映像信号に変換可能なＨＤスケーラ１３と、復調器１０、デコーダ１１、ＳＤスケーラ１２およびＨＤスケーラ１３などの処理動作を制御するＣＰＵ１４とを含んでいる。なお、ＨＤスケーラ１３は、本発明の「解像度変換部」の一例であり、ＣＰＵ１４は、本発明の「制御部」の一例である。また、高解像度（ＨＤ）は、本発明の「高解像度」の一例であり、標準解像度（ＳＤ）は、本発明の「低解像度」の一例である。
【００２１】
ここで、本実施形態では、ＳＴＢ１は、さらに、ＳＤスケーラ１２に接続され、ＳＤスケーラ１２により変換された標準解像度のアナログ映像信号をテレビジョン装置２などに出力可能なコンポジット端子１５と、ＨＤスケーラ１３と接続され、ＨＤスケーラ１３により変換されたアナログ映像信号をテレビジョン装置２などに出力可能なコンポーネント端子１６と、コンポーネント端子１６と同様にＨＤスケーラ１３と接続され、ＨＤスケーラ１３により変換されたデジタル映像信号をテレビジョン装置２などに出力可能なＨＤＭＩ（登録商標）端子１７とを含んでいる。なお、コンポーネント端子１６は、本発明の「アナログ映像出力部」の一例であり、ＨＤＭＩ（登録商標）端子１７は、本発明の「デジタル映像出力部」の一例である。
【００２２】
ＳＤスケーラ１２は、上記したように標準解像度（ＳＤ）の映像信号に変換可能に構成されている。標準解像度（ＳＤ）の映像信号とは、４８０ｉ（７２０×４８０ｉ）の解像度を有する映像信号である。
【００２３】
また、ＨＤスケーラ１３は、映像信号を高解像度（ＨＤ）に変換可能であるとともに、標準解像度（ＳＤ）にも変換可能に構成されている。なお、ＨＤスケーラ１３は、高解像度（ＨＤ）への変換を行っている際には、標準解像度（ＳＤ）への変換を行うことができない。また、ＨＤスケーラ１３は、標準解像度（ＳＤ）への変換を行っている際には、高解像度（ＨＤ）への変換をすることができない。つまり、本実施形態のＨＤスケーラ１３は、標準解像度（ＳＤ）と高解像度（ＨＤ）との両方に同時に変換することはできないように構成されている。高解像度（ＨＤ）の映像信号とは、１０８０ｉ（１９２０×１０８０ｉ）の解像度を有する映像信号である。なお、ＨＤスケーラ１３は、ユーザにより、変換させる映像信号の解像度を高解像度（ＨＤ）および標準解像度（ＳＤ）のいずれか一方に予め設定可能に構成されている。
【００２４】
コンポジット端子１５は、図４に示すように、３つのピン挿入穴１５ａ、１５ｂおよび１５ｃにより構成されている。ピン挿入穴１５ａおよび１５ｂは、それぞれ、アナログ音声を出力するために設けられているとともに、ピン挿入穴１５ｃは、アナログ映像を出力するために設けられている。なお、コンポジット端子１５は、標準解像度（ＳＤ）のアナログ映像信号のみを出力可能に構成されている。
【００２５】
また、コンポーネント端子１６は、３つの映像用ピン挿入穴１６ａ、１６ｂおよび１６ｃと、２つの音声用ピン挿入穴１６ｄおよび１６ｅとにより構成されている。映像用ピン挿入穴１６ａは、アナログ映像信号のうち輝度信号を出力するために設けられている。また、映像用ピン挿入穴１６ｂおよび１６ｃは、それぞれ、アナログ映像信号のうち色信号を出力するために設けられている。このようにコンポーネント端子１６は、アナログ映像信号を３つの各種信号に分けられた状態で出力することが可能であるので、高解像度のアナログ映像信号を出力することが可能である。
【００２６】
また、ＨＤＭＩ（登録商標）端子１７は、デジタル映像信号を出力可能に構成されている。ＨＤＭＩ（登録商標）端子１７には、複数のピン（図示せず）が設けられている。そして、ＨＤＭＩ（登録商標）端子１７は、複数のピン（図示せず）のうちいずれかのピンにより、高解像度のデジタル映像信号が不正にコピーされるのを防止する著作権保護機能としてのＨＤＣＰ（Ｈｉｇｈ−ｂａｎｄｗｉｄｔｈ  Ｄｉｇｉｔａｌ  Ｃｏｎｔｅｎｔ  Ｐｒｏｔｅｃｔｉｏｎ  ｓｙｓｔｅｍ）技術を用いた暗号信号をＳＴＢ１とテレビジョン装置２（図１参照）との間で伝達可能に構成されている。また、ＨＤＭＩ（登録商標）端子１７は、ＳＴＢ１とテレビジョン装置２との接続状態がオン状態になっている場合に、ＳＴＢ１とテレビジョン装置２との接続状態がオン状態になっていることをＳＴＢ１のＣＰＵ１４（図１参照）に伝達可能なピン（図示せず）を有している。
【００２７】
また、本実施形態では、コンポーネント端子１６およびＨＤＭＩ（登録商標）端子１７から出力される映像信号は、共に１つのＨＤスケーラ１３（図１参照）により生成されるように構成されている。
【００２８】
ここで、本実施形態では、ＣＰＵ１４は、図１に示すように、ケーブルテレビ局１００から送信される放送信号が高解像度（ＨＤ）の映像信号がコンポーネント端子１６から出力されるのを制限するＣＩＴビットを含む場合にも、ＨＤＭＩ（登録商標）端子１７が外部のテレビジョン装置２などと接続オン状態になっていると認識した場合には、ＨＤスケーラ１３に対して映像信号を高解像度（ＨＤ）に変換させるように構成されている。具体的には、ＣＰＵ１４は、ＨＤＣＰが有効で、かつ、ＨＤＭＩ（登録商標）端子１７とテレビジョン装置２との接続がオン状態になっている場合には、ＣＩＴビットが有効である場合にも、ＨＤスケーラ１３に対して映像信号を高解像度（ＨＤ）に変換させるように構成されている。本実施形態では、ＨＤＣＰが有効で、かつ、ＨＤＭＩ（登録商標）端子１７とテレビジョン装置２との接続がオン状態になっている場合において、外部のテレビジョン装置２との接続がオン状態になっているＨＤＭＩ（登録商標）端子１７から高解像度（ＨＤ）のデジタル映像信号を出力することが可能となる。この場合において、コピーを制限するＣＩＴビットが有効であったとしても、ＨＤＣＰが有効なので、ＨＤＭＩ（登録商標）端子１７を介して高解像度（ＨＤ）のデジタル映像信号が不正にコピーされるのを抑制することが可能となる。
【００２９】
また、ＣＰＵ１４は、上記ＨＤＣＰが有効で、かつ、ＨＤＭＩ（登録商標）端子１７とテレビジョン装置２との接続がオン状態になっている場合にも、ＣＩＴビットが有効である場合には、コンポーネント端子１６からアナログ映像信号が出力されるのを停止する機能を有する。
【００３０】
また、ＣＰＵ１４は、ＣＩＴビットが有効である場合において、上記ＨＤＣＰが無効で、かつ、ＨＤＭＩ（登録商標）端子１７とテレビジョン装置２との接続がオン状態になっている場合には、ＨＤスケーラ１３に対して放送信号を高解像度（ＨＤ）よりも低い標準解像度（ＳＤ）の映像信号に変換させるように構成されている。つまり、ＣＰＵ１４は、ＣＩＴビットが有効である場合において、上記ＨＤＣＰが無効で、かつ、ＨＤＭＩ（登録商標）端子１７とテレビジョン装置２との接続がオン状態になっている場合には、コンポーネント端子１６およびＨＤＭＩ（登録商標）端子１７から標準解像度（ＳＤ）の映像信号を出力させるように構成されている。
【００３１】
次に、図１および図５を参照して、本発明の本実施形態によるＳＴＢ１のＣＩＴビット有効時におけるＣＰＵ１４の処理フローについて説明する。
【００３２】
まず、図５に示すように、ＣＰＵ１４により、ステップＳ１において、ケーブルテレビ局１００から送信される放送信号が高解像度（ＨＤ）の映像信号がコンポーネント端子１６から出力されるのを制限するＣＩＴビットが有効であるか否かが判断される。そして、ステップＳ１において、ＣＩＴビットが有効でないと判断された場合には、ＣＩＴビット有効時におけるＣＰＵ１４の処理フローが終了される。また、ステップＳ１において、ＣＩＴビットが有効であると判断された場合には、ステップＳ２に進む。
【００３３】
その後、ステップＳ２において、ユーザにより、予め、ＨＤスケーラ１３に変換させる映像信号の解像度が高解像度（ＨＤ）になるように設定されているか否かが判断される。つまり、ステップＳ２において、コンポーネント端子１６およびＨＤＭＩ（登録商標）端子１７から出力可能な映像信号が高解像度（ＨＤ）の映像信号であるか否かが判断される。そして、ステップＳ２において、ＨＤスケーラ１３により生成される映像信号の解像度が高解像度（ＨＤ）になるように設定されていないと判断された場合には、ＣＩＴビット有効時におけるＣＰＵ１４の処理フローが終了される。すなわち、コンポーネント端子１６およびＨＤＭＩ（登録商標）端子１７のいずれからも高解像度（ＨＤ）の映像信号が出力されないので、ＣＰＵ１４は、不正コピーを防止する処理を行わなくてもよい。この場合、コンポーネント端子１６およびＨＤＭＩ（登録商標）端子１７からは、標準解像度（ＳＤ）のアナログ映像信号およびデジタル映像信号が出力されるので、ユーザはテレビジョン装置２により標準解像度（ＳＤ）の映像を視聴可能である。また、ステップＳ２において、ＨＤスケーラ１３に変換させる映像信号の解像度が高解像度（ＨＤ）になるように設定されていると判断された場合には、ステップＳ３に進む。
【００３４】
次に、ステップＳ３において、ＣＰＵ１４により、ＨＤＭＩ（登録商標）端子１７の接続オン状態になっているか否かを認識し、かつ、デジタル高解像度の映像信号が不正にコピーされるのを防止する著作権保護機能であるＨＤＣＰが有効であるか否かが判断される。そして、ステップＳ３において、ＨＤＭＩ（登録商標）端子１７とテレビジョン装置２との接続がオン状態になっていることを認識し、かつ、ＨＤＣＰが有効であると判断される場合には、ステップＳ４に進む。そして、ステップＳ４において、ＨＤスケーラ１３により変換される映像信号の解像度が高解像度（ＨＤ）のままの状態で、映像信号がＨＤＭＩ（登録商標）端子１７から出力される。つまり、ＨＤＣＰが有効であるので、ＨＤＭＩ（登録商標）端子１７から出力されるデジタル映像信号が高解像度（ＨＤ）であっても、高解像度のデジタル映像信号が不正にコピーされることがない。さらに、ステップＳ４において、コンポーネント端子１６からのアナログ映像信号の出力が停止される。すなわち、上記のようにＨＤＭＩ（登録商標）端子１７から高解像度のデジタル映像信号を出力するために、ＨＤスケーラ１３により高解像度の映像信号が生成されているので、コンポーネント端子１６からも高解像度の映像信号が出力される。このため、上記のようにステップＳ４において、コンポーネント端子１６からの映像信号の出力が停止される。そして、ステップＳ４の後、ＣＩＴビット有効時におけるＣＰＵ１４の処理フローが終了される。
【００３５】
そして、ステップＳ３において、ＨＤＭＩ（登録商標）端子１７とテレビジョン装置２との接続がオン状態になっていると認識し、かつ、ＨＤＣＰが無効であると判断された場合、または、ＨＤＭＩ（登録商標）端子１７とテレビジョン装置２との接続状態がオン状態になっていないと認識し、かつ、ＨＤＣＰが有効または無効であると判断された場合には、ステップＳ５に進む。そして、ステップＳ５において、ＨＤスケーラ１３に変換させる映像信号の解像度が標準解像度（ＳＤ）に変更される。
【００３６】
すなわち、ＨＤＭＩ（登録商標）端子１７とテレビジョン装置２との接続がオン状態になっていることを認識しない場合には、ＨＤＭＩ（登録商標）端子１７を介して不正な機器に接続されているおそれがあり、この場合、高解像度の映像信号が不正にコピーされる場合がある。また、コンポーネント端子１６を介してテレビジョン装置２または不正な機器に接続されているおそれがあり、この場合にも、高解像度の映像信号が不正にコピーされる場合がある。また、ＨＤＭＩ（登録商標）端子１７とテレビジョン装置２との接続がオン状態であると認識される場合であっても、ＨＤＣＰが無効の場合には、ＨＤＭＩ（登録商標）端子１７を介して容易に高解像度の映像信号が不正にコピーされる場合がある。また、コンポーネント端子１６を介して容易に高解像度の映像信号が不正にコピーされる場合がある。したがって、これらの場合には、ＨＤスケーラ１３では、高解像度（ＨＤ）ではなく標準解像度（ＳＤ）に変換するように構成している。そして、ステップＳ５の後、ＣＩＴビット有効時におけるＣＰＵ１４の処理フローが終了される。
【００３７】
本実施形態では、上記のように、ＣＰＵ１４を、高解像度（ＨＤ）の映像信号が出力されるのを制限する信号（ＣＩＴビット）を放送信号が含む場合にも、ＨＤＭＩ（登録商標）端子１７とテレビジョン装置２との接続がオン状態になっていると認識した場合には、ＨＤスケーラ１３に対して高解像度（ＨＤ）の映像信号に変換させるとともに、ＨＤＭＩ（登録商標）端子１７から高解像度（ＨＤ）のデジタル映像信号を出力させることが可能なように構成することによって、コンポーネント端子１６から高解像度（ＨＤ）のアナログ映像信号が出力されるのが制限された場合にも、ＨＤＭＩ（登録商標）端子１７から高解像度（ＨＤ）の映像信号を出力させることができる。これにより、ユーザがＨＤＭＩ（登録商標）端子１７にテレビジョン装置２などとの接続状態をオン状態にすることにより、高解像度の映像を視聴することができる。また、高解像度（ＨＤ）の映像信号がコンポーネント端子１６から出力されるのを制限する信号を放送信号が含む場合には、コンポーネント端子１６から高解像度（ＨＤ）の映像信号が出力されることがないので、コンポーネント端子１６を介して高解像度（ＨＤ）の映像信号がコピーされるのを抑制することができる。これらより、高解像度（ＨＤ）の映像信号がコピーされるのを抑制しながらユーザが高解像度（ＨＤ）のデジタル映像を視聴することができる。
【００３８】
また、本実施形態では、上記のように、ＣＰＵ１４を、ＨＤスケーラ１３により変換された高解像度（ＨＤ）の映像信号が不正にコピーされるのを防止する著作権保護機能（ＨＤＣＰ）が有効であるか否かを判断可能に構成するとともに、ＨＤＣＰが有効である場合に、ＨＤＭＩ（登録商標）端子１７から高解像度（ＨＤ）の映像信号を出力させるように構成することによって、ＨＤＣＰにより高解像度の映像信号が不正にコピーされるのを防止するデータを認識した場合のみに、ＨＤＭＩ（登録商標）端子１７から高解像度の映像信号を出力することができるので、ＨＤＭＩ（登録商標）端子１７を介して高解像度（ＨＤ）のデジタル映像信号が不正にコピーされるのを抑制することができる。
【００３９】
また、本実施形態では、上記のように、ＣＰＵ１４を、受信した放送信号に含まれ、ＨＤスケーラ１３により生成された高解像度（ＨＤ）の映像信号が不正にコピーされるのを防止する著作権保護機能（ＨＤＣＰ）が有効であるか否かを判断可能に構成するとともに、ＨＤＣＰが有効である場合に、コンポーネント端子１６からの映像信号の出力を停止させるように構成することによって、容易に、高解像度のデジタル映像信号に基づく映像を視聴しながら、コンポーネント端子１６を介して高解像度（ＨＤ）のアナログ映像信号が不正にコピーされるのを抑制することができる。
【００４０】
また、本実施形態では、上記のように、ＣＰＵ１４を、ＨＤＣＰが無効である場合に、ＨＤスケーラ１３により変換された高解像度（ＨＤ）の映像信号よりも低い標準解像度（ＳＤ）の映像信号をＨＤＭＩ（登録商標）端子１７より出力させるとともに、コンポーネント端子１６より低解像度の映像信号を出力可能に構成することによって、高解像度の映像信号が出力される信号を放送信号が含み、かつ、デジタル映像信号の著作権保護機能が有効でない場合に、ＨＤＭＩ（登録商標）端子１７およびコンポーネント端子１６の両方から高解像度（ＨＤ）の映像信号が出力されることがないので、ＨＤＭＩ（登録商標）端子１７およびコンポーネント端子１６を介して高解像度（ＨＤ）の映像信号が不正にコピーされるのを抑制することができる。
【００４１】
また、本実施形態では、上記のように、コンポーネント端子１６およびＨＤＭＩ（登録商標）端子１７から出力される映像信号を、１つのＨＤスケーラ１３により変換させることによって、コンポーネント端子１６およびＨＤＭＩ（登録商標）端子１７から出力される映像信号の解像度を２つのＨＤスケーラにより個別に変換する場合と比べて、ＨＤスケーラの数を少なくすることができるので、その分、回路構成を簡略化することができる。
【００４２】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４３】
たとえば、上記実施形態では、本発明の映像信号処理装置の一例としてのＳＴＢ（セットトップボックス）に本発明を適用した例について示したが、本発明はこれに限らず、映像信号処理装置であれば、たとえば、テレビジョン装置およびＤＶＤレコーダなどのＳＴＢ以外の他の映像信号処理装置に適用してもよい。
【００４４】
また、上記実施形態では、デジタル映像出力部の一例としてＨＤＭＩ（登録商標）端子を用いた例について示したが、本発明はこれに限らず、デジタル映像出力可能な端子であれば、たとえば、ＤＶＩ（Ｄｉｇｉｔａｌ  Ｖｉｓｕａｌ  Ｉｎｔｅｒｆａｃｅ）などのＨＤＭＩ（登録商標）端子以外のデジタル映像出力部を用いてもよい。
【００４５】
また、上記実施形態では、高解像度の映像信号がアナログ映像出力部から出力されるのを制限する信号の一例として、ＣＩＴビットを用いた例について示したが、本発明はこれに限らず、ＣＩＴビット以外の高解像度の映像信号がアナログ映像出力部から出力されるのを制限する信号を用いてもよい。
【００４６】
また、上記実施形態では、高解像度の映像信号が不正にコピーされるのを防止する著作権保護機能の一例としてＨＤＣＰを用いた例について示したが、本発明はこれに限らず、たとえば、ＤＴＣＰ（Ｄｉｇｉｔａｌ  Ｔｒａｎｓｍｉｓｓｉｏｎ  Ｃｏｎｔｅｎｔ  Ｐｒｏｔｅｃｔｉｏｎ）などのＨＤＣＰ以外の高解像度の映像信号が不正にコピーされるのを防止する著作権保護機能を用いてもよい。
【符号の説明】
【００４７】
１  ＳＴＢ（映像信号処理装置、セットトップボックス）
２  テレビジョン装置
１３  ＨＤスケーラ（解像度変換部）
１４  ＣＰＵ（制御部）
１６  コンポーネント端子（アナログ映像出力部）
１７  ＨＤＭＩ（登録商標）端子（デジタル映像出力部）
１００  ケーブルテレビ局
【図１】
2011009818.tif 000003
【図２】
2011009818.tif 000004
【図３】
2011009818.tif 000005
【図４】
2011009818.tif 000006
【図５】
2011009818.tif 000007